(57)【要約】  プロセス制御方法につき開示し、この方法は（ａ）第１プロセスの計算流体力学モデルを供給し、（ｂ）この計算流体力学モデルに前記第１プロセスにへの供給物に関するデータを入力し、前記データはモデルが未来時間ｔ１における前記第１プロセスの１つもしくはそれ以上の性質の実時間シミュレーションを発生するよう初期時間ｔ０における状況を示し、更に（ｃ）このシミュレーションを使用して前記第１プロセスを制御し、または第１プロセスが連結される第２プロセスを制御することからなっている。【選択図】なし【特許請求の範囲】
【請求項１】
（ａ）第１プロセスの計算流体力学モデルを供給し、
（ｂ）この計算流体力学モデルに前記第１プロセスへの供給物に関するデータを入力し、前記データはモデルが未来時間ｔ１における前記第１プロセスの１つもしくはそれ以上の性質の実時間シミュレーションを発生するよう初期時間ｔ０における状況を示し、更に
（ｃ）このシミュレーションを使用して前記第１プロセスを制御し、または第１プロセスが連結される第２プロセスを制御する
ことを特徴とするプロセス制御方法。
【請求項２】
シミュレーションを連続的または反復的に行って、その後の時間ｔ２、ｔ３などに関する前記プロセスの１つもしくはそれ以上の性質の実時間シミュレーションを発生させると共に、経時的にプロセス監視および制御を行う請求項１に記載の方法。
【請求項３】
前記第１プロセスの１つもしくはそれ以上の性質が化学組成、密度および粘度の１つもしくはそれ以上を包含する請求項１または２に記載の方法。
【請求項４】
シミュレーションを使用して前記第１プロセスを制御すると共に、前記第１プロセスが適する反応容器における反応である請求項１〜３のいずれか一項に記載の方法。
【請求項５】
シミュレーションを使用して第１プロセスが連結される第２プロセスを制御すると共に、前記第１プロセスが前記第２プロセスへの供給物として採取される出口流を有する適する混合容器における混合プロセスでする請求項１〜４のいずれか一項に記載の方法。
【請求項６】
混合容器が原油貯蔵タンクであると共に、第２プロセスが原油蒸留ユニットである請求項５に記載の方法。
【請求項７】
（ａ）第１プロセスの計算流体力学モデルを行なうようプログラムされたコンピュータと、
（ｂ）計算流体力学モデルに前記第１プロセスへの供給物に関するデータを入力する入力システム（前記データはモデルが未来時間ｔ１における前記第１プロセスの１つもしくはそれ以上の性質の実時間シミュレーションを発生するよう初期時間ｔ０における状況を示す）と、
（ｃ）前記シミュレーションに呼応すると共に前記シミュレーションを使用して前記第１プロセスを制御し、または第１プロセスが連結された第２プロセスを制御するようにしたコントローラと
からなることを特徴とするプロセスの制御システム。
【請求項８】
コントローラ（ｃ）が第１プロセスの連結された第２プロセスを制御すると共に、前記第１プロセスが前記第２プロセスへの供給物として採取される出口流を有する適する混合容器における混合プロセスである請求項７に記載の制御システム。
【請求項９】
混合容器が原油貯蔵タンクであると共に、第１プロセスが原油蒸留ユニットである請求項８に記載の制御システム。
【発明の詳細な説明】
【発明の詳細な説明】
【０００１】
本発明は計算流体力学を用いるプロセスの監視および制御方法に関するものである。
【０００２】
計算流体力学（ＣＦＤ）は、流体流動を支配するモーメントおよび質量保持の方程式を解くためコンピュータ法を用いることにより流体流動をモデル化する周知の手段である。たとえばＣＦＤを用いて、適する混合が達成されるよう確保すべく混合容器を設計する際、流体流動をモデル化することができる。同様に、反応容器を設計する際にもＣＦＤを使用して、反応体相互間およびまたは反応体と存在しうる触媒との最適接触が反応器の設計により達成されるよう確保することができる。
【０００３】
ＣＦＤは、システムの境界条件が与えられると共に連続媒体の流動の基本方程式（すなわち質量およびモーメントの保持方程式（ネイビア・ストークス方程式として知られる）を用いれば、システムの流動構造および特性を演算する。ＣＦＤは安定モードまたは不安定（時間依存性）モードにて操作することができる。この技術は最終解決につき先見的推定を与えず、初期境界条件以外のデータの更なる入力を必要としない（たとえばこれは溶液を得るための圧力低下の測定を必要としない）。換言すれば、この技術はより早い時点ｔ０にてシステムの境界条件が与えられれば、時間ｔ１におけるシステムの所要の性質を演算する。
【０００４】
幾つかの簡単な流動問題（たとえば２Ｄ不見流動）において流動は分析的に演算しうるが実用上興味ある大抵の工学的流動においては非直線的二次限差別方程式を数字的に解く必要がある。ＣＦＤはこれを、多くの小さいセル（典型的には＞１００ｋ）に流動方式を分割すると共に、溶液が得られるまで推測を反復する各セルにおける方程式を数字的に解いて行う。
【０００５】
ＣＦＤは、たとえばＥ．Ｍ．マーシャルおよびＡ．バッカー（フルエント・インコーポレーションにより出版、２００２）による「計算流体混合」に記載されている。
【０００６】
典型的にはＣＦＤモデル化は、かなり簡単なシステムについてさえコンピュータ時間の多くの時間または数日間さえ要する（特にこれらが時間依存性解決である場合）。しかしながら計算に要する時間にも拘わらず、ＣＦＤは計算時間が臨界的でない場合混合および／または反応容器を設計するための貴重な手段であると証明された。
【０００７】
本発明に先立ち、初期境界条件以外のシステムに関する先見的推察を行わないＣＦＤモデルは、実時間プロセス制御については決して利用されなかった。欧州特許第３９８７０６号明細書は、反応器にて複数のモノマーから生成されたポリマーの物理的性質を予測する方法を記載し、それらの結果を使用して異常な反応器問題を操作員に警告しうると述べている。しかしながら、記載された方法は反応器における種々の時点（および従って時間ｔ０）にて測定された実プロセスデータ（すなわちプロセスを事前に行った結果）のインプットを必要とし、計算の結果は異なるパラメータの推定値を与えるが同時に初期データを測定したｔ０の推定値を与える。
【０００８】
今回、計算流体力学（特に不安定（時間依存性）モードで操作する場合）は実時間プロセス監視に用いられて改良プロセス制御を与えうることが突き止められた。
【０００９】
従って第一面によれば、本発明はプロセス制御方法を提供し、この方法は
（ａ）第１プロセスの計算流体力学モデルを供給し、
（ｂ）この計算流体力学モデルに前記第１プロセスへの供給物に関するデータをインプットし、前記データはモデルが未来時間ｔ１における前記第１プロセスの１つもしくはそれ以上の性質の実時間シミュレーションを発生するような初期時間ｔ０における状況を示し、更に
（ｃ）このシミュレーションを使用して前記第１プロセスを制御し、または第１プロセスが連結される第２プロセスを制御する
ことを特徴とする。
【００１０】
「実時間シミュレーション」とは、プロセス条件が生ずると同時またはそれより早くプロセス条件を予測しうるよう充分短い時間にてシミュレーション出力（シミュレーション結果）が得られるシミュレーションを意味し、従って出力に応じて必要に応じ制御される。すなわち初期時間ｔ０にて入手しうるデータからこのシステムはその後の時間ｔ１における性質を計算することもでき、必要ならばその計算を用いて時間ｔ１における或いはその前のプロセス（または第２プロセス）を制御することもできる。
【００１１】
本発明の方法は制御システムにより実施することができ、従って本発明の更なる実施態様によれば
（ａ）第１プロセスの計算流体力学モデルを行うようプログラムされたコンピュータと、
（ｂ）計算流体力学モデルに前記第１プロセスへの供給物に関するデータを入力する入力システム（前記データはモデルが未来時間ｔ１における前記第１プロセスの１つもしくはそれ以上の性質の実時間シミュレーションを発生するよう初期時間ｔ０における状況を示す）と、
（ｃ）前記シミュレーションに呼応すると共に、前記シミュレーションを使用して前記第１プロセスを制御し、または第１プロセスが連結された第２プロセスを制御するようにしたコントローラと
からなる制御システムが提供される。
【００１２】
本発明による制御システムは、下記するように自動化プロセス制御システムとしうるか或いは操作員により操作されうるコントローラ（Ｃ）が時間ｔ１にて或いはその前に調整されうるよう操作される。
【００１３】
好ましくは制御器（ｃ）は第１プロセスが連結する第２プロセスを制御し、前記第１プロセスは前記第２プロセスへの供給物として採取される出口流を有する適する混合容器における混合プロセスである。たとえば混合容器は原油貯蔵タンクとすることができ、第２プロセスは原油蒸留ユニットとすることができる。この具体例の更なる詳細を以下に示す。
【００１４】
未来時間ｔ１における前記第１プロセスの１つもしくはそれ以上の性質の実時間シミュレーションを発生させるには、供給物におけるデータは時間ｔ０（これは時間ｔ１まで）における第１プロセスへの供給物に関連せねばならず、たとえばこの時点までの第１プロセスに供給される全供給物流の供給速度および組成を包含する。プロセスに供給すべき流れの組成は、たとえば適する供給物貯蔵タンクまたは上流配管系における分析から（たとえば流量計から）、前記流れがプロセスに流入するより充分早い時点にて得ることができる。このデータは、操作員により或いは自動化供給物監視システムによるＣＦＤモデルへインプットとすることができる。ＣＦＤモデルへの入力はそれ自身モデルもしくはシミュレーションの結果とすることができ、たとえば上流貯蔵タンクにて操作される別途のＣＦＤモデルからの出力とすることができる。
【００１５】
本発明は、ＣＦＤモデルを使用して前記第１プロセスの１つもしくはそれ以上の性質を予測すると共に必要に応じ前記出力に対し（ｉ）シミュレーション出力を前記第１プロセスの制御につき使用する場合は前記第１プロセスにて予測特性の生ずる前、或いは（ｉｉ）シミュレーション出力を第１プロセスの連結された第２プロセスの制御につき予測特性が前記第２プロセスにて効果を有する前に、作用するという利点を有する。
【００１６】
ＣＦＤモデル予測に呼応する前記第１もしくは第２プロセスの制御は典型的には操作員により或いは自動化プロセス制御システムにより行われる。操作員または自動化制御システムはシミュレーション出力を「使用」して第１もしくは第２プロセスの条件を変化させうるが、同等にシミュレーション出力は第１もしくは第２プロセスが予測条件下で容易に操作されると共に変化が必要でないと言う保証として「使用する」することもできる。
【００１７】
更にシミュレーションを使用して、前記第１プロセスの１つもしくはそれ以上の実時間シミュレーションをその後の時間ｔ２、ｔ３などについても発生させることができる。これは、シミュレーションを連続的に行うことにより或いはシミュレーションを規則的基準で反復して一連の未来時間ｔ２、ｔ３などにおけるシミュレーションを発生させることにより達成することができる。このようにして本発明は経時的にプロセス監視および制御を与えることができる。
【００１８】
「連続的」に操作するという用語は、時間ｔ１におけるシミュレーション出力が発生した後にシミュレーションが持続するようシミュレーションが連続的に更新することを意味する。従って時間ｔ１におけるシミュレーションは、未来時間ｔ２（これはｔ１の後である）における前記第１プロセスの１つもしくはそれ以上の性質の実時間シミュレーションを発生させるよう更新することができ、これには時間ｔ１とｔ２との間に前記第１プロセスへの供給物に対するデータと共に時間ｔ１につきシミュレーションを更新することにより行われる。この具体例において、更新時点（ｔ２とｔ１との間の時間差）と同時点でシミュレーションが操作するのに１０秒間を要する場合、時間ｔ２およびｔ１は１０秒離間せねばならない。
【００１９】
代案として、シミュレーションは未来時間ｔ２、ｔ３など（これらはｔ１の後である）における前記第１プロセスの１つもしくはそれ以上の実時間シミュレーションを、それぞれにつき別途の実時間シミュレーションを行うことにより発生されるよう操作（反復）することもできる。典型的には、それぞれ事前のシミュレーションが行われた後に開始されるがシミュレーションを並行して行うこともできる。たとえばシミュレーションは未来時間ｔ２（これはｔ１の後である）における前記第１プロセスの１つもしくはそれ以上の性質の実時間シミュレーションを発生させるため行うことができ、これには時間ｔにおける第１プロセスにおける実（すなわち測定）データおよび時間ｔとｔ２との間の前記第１プロセスに対する供給物におけるデータを使用する。各シミュレーションを事前のシミュレーションが行われた後に開始する場合、各シミュレーションは更新のための時間より短い時間（ｔ２とｔ１との間の時間差）にて操作され、ここでシミュレーションは１０秒の操作を要するので時間ｔ２およびｔ１は少なくとも１０秒間離間させてその後のシミュレーションを開始させると共に経時的に完結させねばならない。
【００２０】
上記の組合せを使用することができる。たとえばシミュレーションはｔ０における初期データを用いて連続的に行うことができ、このシミュレーションを全期間にわたりその後の時間につき連続的に、たとえば１時間更新し、次いで実際の測定値から得られる新たな初期データ群を用いてシミュレーションを再開する。効果的には時間ｔ１を、新たな時間ｔ０を示すようリセットする。このようにして新規なデータは連続操作するシミュレーションの制御を可能にし、連続操作するシミュレーションが実際の条件の代表とならないよう確保する。
【００２１】
シミュレーションは好ましくは定期的基準、たとえば１秒から６０分間までの時間（すなわちｔ３−ｔ２、ｔ２−ｔ１など）で行われ或いは更新される。
【００２２】
全シミュレーション出力を前記第１もしくは第２プロセスの制御につき使用することができ、或いは制御は長時間規模で分離されたシミュレーション出力のみを使用することもできる。たとえばシミュレーションを１０秒毎に反復する場合、プロセス制御につき出力の１つを毎分または１０分毎に用いることのみを必要とする。従ってシミュレーションの時間は、プロセス制御につき使用した制御モデルの所要解決策に応じて更新時間ステップより短い。
【００２３】
計算に使用される時間ステップは必ずしも一定の時間ステップでなく、計算時間を最適化すべく変数の変化速度に応じモデル内で変化させることができる。
【００２４】
前記第１プロセスの「１つもしくはそれ以上の性質」は、化学的および／または物理的性質を包含する。典型的化学性質は化学組成を包含する。典型的物理特性はたとえば密度および粘度を包含する。これら性質は更に油中水のような分散相もしくは第２相の濃度をも包含する。
【００２５】
ＣＦＤモデルは「性質マップ」（または１つもしくはそれ以上の性質マップ）を発生し、これは第１プロセス内で１つもしくはそれ以上の性質がどのように変化するかを示す。たとえば反応容器内の化学試薬の濃度のマップまたは混合容器内の流体もしくは成分組成物の密度のマップを発生する。
【００２６】
本発明の第一面において第１プロセスは、適する反応容器における反応である。
【００２７】
この第一面の好適具体例において、シミュレーションの出力は反応容器内の組成変動のマップであって、前記反応の制御につき使用される。シミュレーションの出力は更にたとえば反応容器内の温度および圧力の数値をも包含する。出力は更に容器から流出する流れの性質をも包含する。前記出力は前記反応の制御につき使用されるので、操作インまたは自動化プロセス制御システムは実要件が反応容器内で生ずる前に入手して何らかの望ましくない条件が予測されれば操作員または制御システムはその発生を防止するよう呼応することができる。
【００２８】
望ましくない条件は安全発火性もしくは爆発限界の範囲外である反応容器内の領域をも包含し、これら限界値は１種もしくはそれ以上の反応体もしくは触媒の低過ぎるまたは高過ぎる濃度を有し、不適当な流動特性（たとえば静的領域）を有しおよび／または高温もしくは低温スポットを形成することもある。
【００２９】
代案として或いは追加的に、反応容器内で実条件が生ずる前にシミュレーションから出力を得れば、操作員またはプロセス制御システムは供給物における任意の変化につき反応条件を最適化することができる。
【００３０】
この第一面において、供給物におけるデータはたとえば全供給物流（任意のリサイクル流をも包含する）につき供給速度および組成を包含する。たとえば「新鮮」供給物流の組成は適する供給物貯蔵タンクにおける或いは上流配管における、前記流れが反応容器に流入する充分前の時間における分析から得ることができ、リサイクル流の組成は前記流れが反応容器に再流入するより充分前の時点のリサイクルループにおけるリサイクル流の分析から得ることができる。代案として、リサイクル流の組成はシミュレーション出力自身から得ることもできる。
【００３１】
この第一面において、ＣＦＤモデルへの入力は更にたとえば触媒活性（適用しうる場合は新鮮触媒の失活もしくは添加に基づく任意の変化を包含する）、および温度および圧力条件など他のプロセス変数に関するデータを包含する。たとえば触媒活性は新鮮触媒の予測失活速度および／または計画的導入に基づくことができ、触媒温度および圧力はプロセス条件における計画的もしくは予測変化（たとえば触媒失活をオフセットするための温度の上昇）に基づくことができる。
【００３２】
第二の好適面において、第１プロセスは適する混合容器における混合プロセスである。この第二面の好適具体例において混合容器は第２プロセスへの供給物として採取される出口流を有し、その条件は出口流の組成に基づいて最適化しうる。この例においてシミュレーションの出力は、前記組成の出口流が第２プロセスに達する前に第２プロセスの操作員または自動化プロセス制御システムに入手できねばならず操作員またはプロセス制御システムはこれが第２プロセスに（到達）する際に出口流につき第２プロセスを最適化することができる。
【００３３】
本発明の第二面の１例は混合容器として原油貯蔵タンクおよび第２プロセスとして原油蒸留ユニットを含む。
【００３４】
原油蒸留ユニットは原油精製所の一体的部分である。前記ユニットには１つもしくはそれ以上の原油貯蔵タンクから原油が供給され、これにはたとえばタンカーまたはパイプラインから原油のバッチが供給される。典型的には、単一の原油蒸留ユニットにつき数個の原油貯蔵タンクが存在する。
【００３５】
各原油貯蔵タンクは典型的には１００，０００ｍ３までの容積を有する。原油貯蔵タンクからの原油は、必要に応じたとえば原油脱塩装置における予備処理の後、原油蒸留ユニットに供給される。しかしながら一般に原油貯蔵タンクを完全に空にすることはできず、或る場合にはタンクの最大容積の２０％までの容積を有する原油が貯蔵タンクに維持される。次いでタンクをたとえば原油タンクから再充填する。原油はたとえば炭化水素組成および水分含有量のようなその化学的性質およびたとえば粘度および密度のようなその物理的性質の両者にて著しく変化しうるので、タンクにおける原油の全体的および局部的性質はタンクにおける残留原油および「新鮮」原油の相対的容積および性質に依存する。
【００３６】
原油の性質は、原油蒸留カラムをこれら性質に基づき最適化しうるので重要である。従来、残留原油と「新鮮」原油との完全な混合が原油タンク内で生じて均質組成物を与えると思われていた。混合が原油貯槽タンクにて用いられる場合でも、これら想定にも拘わらず組成物はタンク内で変化しうる。従って原油を原油蒸留カラムに移送する場合、原油からの性質は経時的に変化すると共に蒸留は最適以下となる。
【００３７】
本発明の方法において、たとえば全容積、流速、化学組成、密度および粘度のような「新鮮」原油の性質は原油貯蔵タンクのＣＦＤモデルに入力される。ＣＦＤモデルは既にタンクにおける残留原油の詳細を有し（原油貯蔵タンクの初期充填および排出に基づくシミュレーションから）、タンク内の位置の関数として原油の性質を計算する。この「性質マップ」は定期的に（たとえば数分間〜毎時間）更新される。何故なら、更なる「新鮮」原油が経時的に添加され（それには原油タンカーから原油貯蔵タンクへの移送に２４時間もしくはそれ以上を要する）、または混合（これは充填が完結した後でさえ、原油がタンクから取り出されることがある）に基づくからである。タンク内の混合は側部流入ミキサから行われ、これらおよびその効果のためのモデルはＣＦＤモデルに含ませうる。
【００３８】
モデルは、原油が放出されると共に原油貯蔵ユニットに供給される時点で原油貯蔵タンク内の原油の「性質マップ」をシミュレーションし、更にその後の原油貯槽タンクからの供給に際し、経時的に原油蒸留ユニットに供給される原油の変動を予測することができる。
【００３９】
これは、原油蒸留ユニットが経時的に原油特性における変化に基づき定期的に最適化される機会を与える。たとえば時間ｔ０にて或る種の流体を所定流速にてｘ時間にわたりタンク中へポンプ輸送することが知られるならば、ＣＦＤを用いてｘ時間以内にタンク内の混合物の状態がｘ時間の終末でどうなるかを予測することができる。これはＣＦＤでは従来達成されず期待もされなかった。本発明の方法において、タンクの状態の更なる測定またはモデルに対する調整は初期データ入力を越えて行われない。これは計算技術を用いて時間ｔ０におけるシステムの１つの特性（特に数平均および重量平均分子量）を計算する欧州特許第３９８７０６号明細書の方法とは対照的であり、同じ時間ｔ０における他の特性（たとえば圧力低下）の測定値も同様である。すなわち欧州特許第３９８７０６号明細書の方法は、現象が実際に生ずると共に測定が行われるまで、所要条件を予測することができない。
【００４０】
上記は「バッチ式」操作（ここでは原油貯槽タンクがバッチ式に「空にされ」かつ再充填され、連続的または半連続的操作も行うことができ、原油タンクがここに供給された原油を有すると同時に原油が原油蒸留ユニットに供給される場合）につき記載したが、本発明はこの種類の操作についても用いることができる。
【００４１】
本発明の最も好適な具体例において、２つもしくは必要に応じそれ以上の計算流体力学モデルを並行して操作する。
【００４２】
この具体例において、第１モデルは特定時点における第１プロセスの実際の内容物および性能の記録を与え、第２モデルを用いてシミュレーションおよび制御を行う。第１モデルは実際のプラント制御システムからの入力データを採取し、第１プロセス内の条件をできるだけ「実際」の時点に近くモデル化する。この第１モデルは制御目的には直接使用されず、以下詳細に説明する第２（予測）モデルにつき入力として使用することができる。更に第１モデルは、第２モデルからの予測出力の精度を監視するため「品質管理」モデルとして使用することもできる。第１および第２モデルは更に相違点からの習得に基づいて修正することもできる。
【００４３】
第２モデルを用いてシミュレーションおよび制御すると共に、好ましくは第１モデルからの現在の性質および供給物に対するデータに基づき現在の性質が入力される。この情報から第２モデルは前記第１プロセスの１つもしくはそれ以上の性質の実時間シミュレーションを発生すると共に、シミュレーション出力を使用して前記第１プロセスを制御するか或いは第１プロセスが連結する第２プロセスを前記したように制御する。
【００４４】
ＣＦＤシミュレーションは特定性質計算を行う他のシミュレーションモデルに連結させることもでき、たとえばこれは物理的性質および組成を予測する熱力学および反応モデルに連結させることもできる。
【００４５】
以下、図１およびその後の実施例を参照して本発明を更に説明する。
【００４６】
実施例１
計算流体力学モデルは、ＣＦＤコードとしてフルエント・バージョン６．１を用いる大型貯蔵タンクにおける混合の３Ｄ次元依存性シミュレーションである。
【００４７】
貯蔵タンクは図１に記載した通りであって８０ｍの直径と１７ｍの高さとを有し、このシミュレーションの目的では供給物流速を出口流速と等しくして、貯蔵タンクが満杯に留まると想定される（所要ならば液体の表面は計算グリッドの適用によりタンクが充填および空にされる際、上昇および下降することができる）。
【００４８】
貯蔵タンクの入口は直径０．６ｍであると共に、出口の直径も０．６ｍである。
【００４９】
タンク内での混合は入口ジェットにより行われる。
【００５０】
計算グリッドはタンクの大半にわたり公称寸法１ｍ３の９６０００個のセルを含むが、より小さいセルを入口および出口の周囲に使用した。
【００５１】
モデルは連続操作すると共に、更新シミュレーションは１０秒毎に発生した。
【００５２】
貯蔵タンクには先ず最初にオイル−ａのみを充填し、これは１０センチポアズ（ｃＰ）の粘度と０．８の比重（ＳＧ）とを有する。時点ｔ０において４００ｃＰの粘度と０．９の比重とを有するオイル−ｃをタンク中へ入口１を介し１０ｍ／ｓの速度（約２５００ｋｇ／ｓに等しい）にて導入した。３３０分間の後、オイル−ｃの流動を停止させ、オイル−ａをタンク中へ入口１を介し１０ｍ／ｓの速度にて導入した。
【００５３】
図１は、１００分間段階における経時的な貯蔵タンク組成につき得られた結果を示す。
【００５４】
時点０にて貯蔵タンクはオイル−ａのみを含む。次いでオイル−ｃを入口１を介して１００分間、２００分間および３００分間により示される時間にわたり導入し、貯蔵タンク内の組成は変化してオイル−ｃの増大平均質量フラクションを示す。しかしながら、図１から明らかなように混合は均一でなく、更にオイル−ａにおけるオイル−ｃの一層高濃度の領域が存在する。時点ｔ＝４００ｍｉｎにてオイル−ａを入口供給物として導入すると共に、再びタンク内の混合における顕著な不均質性が観察される。
【００５５】
この不均質性は更に下表１からも明らかであり、この表はタンク内のオイル−ａの平均濃度および図１におけるシミュレーションに基づく出口２における実際の濃度を示す。
【００５６】
【表１】
2008502065.tif 000002
【００５７】
表１に示したように、これらシミュレーションの結果は出口２における組成を経時的および「実時間」で計算することを可能にして、出口からの混合原油が供給される第２プロセスにおける次のプロセス工程（たとえば原油蒸留ユニット）を原油が前記第２プロセスに到達する前に必要に応じ呼応して制御されうるようにする。
【図面の簡単な説明】
【００５８】
【図１】更なる原油が添加された貯蔵タンクにおける原油の混合を示す。貯槽タンクは、タンクの底部に近接位置すると共にタンクにわたり放射状に指向する入口１、および同様にタンクの底部に近接位置すると共に入口から９０°の角度における出口２を使用する。
【図１】
2008502065.tif 000003
【国際調査報告】
2008502065.tif 000004
2008502065.tif 000005
2008502065.tif 000006